Podtech/llm-jp-corpus-v4-ja_patent huggingface dataset:
(57)【要約】【課題】夜でも  何処に釣の仕掛けが着水したか容易に分かる投げ釣用錘の提供。【解決手段】投げ釣用錘の一部、または全体を  透明、若しくは半透明の材料で覆い、その中に  発光ダイオードまたは電球、電池、或いは、科学的に発光する部品等を備えて  一部、または全体を発光するようにした構造を特徴とする投げ釣用錘。【選択図】図１
2004305187.tif 000002
【特許請求の範囲】
【請求項１】
投げ釣用錘の一部、または全体を  透明、若しくは半透明の材料で覆い、その中に  発光ダイオードまたは電球、電池、或いは、科学的に発光する部品等を備えて  一部、または全体を発光するようにした構造を特徴とする投げ釣用錘。
【発明の詳細な説明】
【０００１】
【発明の属する技術分野】本発明は、発光装置を備えた釣用錘に関する。
【０００２】
【従来の技術】投げ釣用錘においては、円筒状あるいは、円錐状、または円盤状の鉛の一部に  釣り糸を通すために  先端が輪になった針金を備えた構造ものが、周知である。
【０００３】
【発明が解決しようとする課題】ところで、従来の投げ釣用鉛は、自らが発光しないため、夜に釣用仕掛けを投げ込んだときに  釣用仕掛けが何処に飛んだのか分からずに  思ったところに投げ込めない。
【０００４】
【課題を解決するための手段】本発明は、上記課題を解決するために下記の技術的手段を採用した。
【０００５】本発明は、投げ釣用錘の一部、または全体を  透明、若しくは半透明の材料で覆い、その中に  発光ダイオードまたは電球、電池、或いは、科学的に発光する部品等を備えて  一部または、全体を発光するようにした構造を特徴とする。
【０００６】本発明によれば、投げ釣用錘の一部、または全体が発行するため、釣用仕掛けを投げ込んだときに、錘の軌跡が、光となって見えるために  着水点が容易に分かる。
【０００７】
【発明実施の形態】本発明の実施の形態を図面に基づいて説明すると  図１は、本発明を実施した例で  投げ釣用錘の断面図である。鉛１と  透明、若しくは、半透明なカバー２の間に防水用オーリング３が設けられている。また部品１と２はネジで固定されるようになっている。
【０００８】また内部には、電球４と電池５が備えられている。そして部品６は、電球４、電池５を固定し電気を流すための部品である。そして部品７は、絶縁物である。また部品８，９は、釣り糸を通すための針金の一部である。
【０００９】図１のように  電球４と電池５をセットすることによって  電球４が光り、そしてその光りは、透明なカバー２を通して  外から見ることが出来る。
【００１０】また、図２は、図１を分解した例である。
【００１１】図３は、科学的に発行する部品１０を備えた例である。
【００１２】図４は、図３を分解した例である。
【００１３】このように  部品２が、透明もしくは、半透明であるために  夜に仕掛けを投げ込んだときに  その軌跡が、光となって見えるために  着水点が容易に分かる。
【００１４】
【発明の効果】本発明は以上説明した通り、投げ釣用錘の一部、または全体が光る構造のために  夜に仕掛けを投げ込んでも  その軌跡が、光となって見えるために  着水点が容易に分かる。
【００１５】また、カバー２に色を付けることによって  集魚効果も期待できる。
【図面の簡単な説明】
【図１】本発明を実施した例の  断面図である。
【図２】図１の分解図である。
【図３】科学的に発光する部品を用いた例の  断面図である。
【図４】図３の断面図である。
【符号の説明】
１    鉛
２    透明、または半透明のカバー
３    防水用オーリング
４    電球
５    電池
６    電球４、電池５を固定し電気を流すための部品
７    絶縁物質
８    釣り糸を通すための針金の一部
９    釣り糸を通すための針金の一部
１０    科学的に発光する部品
【図１】
2004305187.tif 000003
【図２】
2004305187.tif 000004
【図３】
2004305187.tif 000005
【図４】
2004305187.tif 000006
(57)【要約】【課題】本発明は、アルコールを除去した果実酒の旨みと風趣を有し、優良な喉越し感と食感が有り切れ難く、誰でもがデザート感覚で食することが出来るトコロテン食品の提供を目的としている。【構成】麺状に成形されたトコロテン食品であって、麺状のトコロテンが、天草、寒天、ゼラチン、アルコールを除去した果実酒を含有する事を特徴とする果実酒入り麺状のトコロテン食品。【特許請求の範囲】
【請求項１】
トコロテン溶液に、加熱しアルコールを除去した果実酒とゼラチンを混合、成形した型に混合液を流し冷却ゲル化する、このゲル化物を短冊状にカットし型に入れ押し出し麺状に成形したことを特徴とする、麺状の果実酒入りトコロテン食品。
【請求項２】
加熱しアルコールを除去した果実酒に、寒天を加え煮汁を作る、この煮汁を濾過しゼラチンを加え混合液を作る、この混合液を成形した型に流し冷却ゲル化する、このゲル化物を短冊状にカットし型に入れ押し出し麺状に成形したことを特徴とする、麺状の果実酒入りトコロテン食品。
【請求項３】
請求項１、請求項２、記載のアルコールを除去した果実酒入り麺状に成形されたトコロテンに食酢、砂糖、蜂蜜等の調味料や果汁、香料を添加したことを特徴とする、麺状の果実酒入りトコロテン食品。
【請求項４】
請求項１、請求項２、請求項３、記載のアルコールを除去した果実酒入り麺状に成形したことを特徴とする、麺状の果実酒入りトコロテン食品の製造方法。
【発明の詳細な説明】
【０００１】
【発明の属する技術分野】
本発明は優れた喉越し感と食感、果実酒特有の旨味と風趣を有する、麺状のアルコールを除去した果実酒入りトコロテン食品に関する物である。
【０００２】
【従来の技術】
従来には、納豆菌及び乳酸菌等人体に有益な物質を生産する生菌培養液並びに生菌及び有効物質を含有する従来の納豆とその加工品及び調味料、果汁、抹茶、豆乳の入ったゲル化食品（特許文献１参照）。また、天草の煮汁と、寒天水溶液と、白醤油を混合して凝固させ、短冊状に成型したところてん（特許文献２参照）。
特許文献１
特開平１０−２６２５７８号公報
特許文献２
特開平７−２６５０１７号公報
【０００３】
【発明が解決しようとする課題】
従来のトコロテンにアルコールを除去した果実酒の入った麺状のトコロテン食品は無かった、本来トコロテンは天草、寒天のみを原料としているために果実酒を加えると強度が弱まり、四角形、短冊形等に成形は出来るが、麺状に成形するとトコロテンは切れやすく、喉越し感と食感が得られないと言う欠点があった。果実酒を加えることにより果実酒特有の旨味、風趣がで、アルコールを徐去することにより、誰でもが手軽にデザート感覚で食することが出来る新規なトコロテン食品を提供することを目的としている。
【０００４】
【課題を解決するための手段】
本発明は寒天を熱湯で煮溶かした溶液、又は天草の煮汁を濾過をした溶液、以下（トコロテン溶液）と言う、天草、寒天を使用することにより天草、寒天特有の旨味が出る、このトコロテン溶液に果実酒を加熱しアルコールを蒸発除去した果実酒を混合することにより果実酒の旨味、風趣を出すことが出来る、またアルコールを除去してあるため誰でもが食することが出来る、トコロテン溶液と果実酒の混合液にゼラチンを加え充分に溶かした混合液を作る、この混合液を成形した型に流し込み冷却をする、冷却することによりゲル化した果実酒入りのトコロテンを得ることが出来る、また果実酒を加熱しアルコールを蒸発除去した果実酒に寒天を加えて煮汁を作り濾過をする、この濾過をした煮汁にゼラチンを加え充分に溶かした混合液を作り、この混合液を成形した型に流し込み冷却をする、冷却することによりゲル化した果実酒入りにトコロテンを得ることが出来る、このゲル化した果実酒入りのトコロテンを短冊状にカット、これを型に入れトコロテン突き棒などで押し出すことにより麺状に成形される、麺状になったトコロテンはゼラチンが混入されているため切れにくくなり喉越し感と、食感が得られる、また食酢、砂糖、蜂蜜等の調味料や果汁、香料を加えると旨味、風趣、香りなどに付加価値を増すことも出来る。
【０００５】
【発明の実施の形態】
以下、本発明の実施の形態について説明する。
【実施例１】
第１工程  乾燥されている天草２５ｇを水洗いし水に浸け充分水を含ませる。
第２工程  果実酒４００ｍｌを８０−９５℃まで加熱しアルコールを蒸発除去する。
第３工程  第１工程の天草の水を切って、１．２００ｍｌの水を加えて充分に煮溶かす、これを濾過布にて濾過をすることにより４００ｍｌのトコロテン溶液を抽出した。
第４工程  第３工程のトコロテン溶液に第２工程の果実酒４００ｍｌと粉寒天４ｇを加え混合液を作る。
第５工程  第４工程の混合液にゼラチン９ｇを加え充分に溶かし混合液を作る、また食酢、砂糖、蜂蜜等の調味料や果汁、香料を加えることも出来る。
第６工程  第５工程の混合液を成形した型に流し冷却ゲル化、このゲル化したトコロテンを短冊状にカットする。
第７工程  第６工程の短冊状にカットされたトコロテンを型に入れ、トコロテン突き棒を使用し押し出すことにより麺状に成形されたトコロテン食品ができる。
【０００６】
【実施例２】
第１工程  果実酒１．０００ｍｌを８０−９５℃まで加熱しアルコールを蒸発除去する。
第２工程  第１工程の果実酒に粉寒天１０ｇを加えて煮溶かし混合液を作る。
第３工程  第２工程の混合液に粉ゼラチン１０ｇを加えて充分に溶かし混合液を作る、また食酢、砂糖、蜂蜜等の調味料や果汁、香料を加えることも出来る。
第４工程  第３工程の混合液を成形した型に流し冷却ゲル化、このゲル化したトコロテンを短冊状にカットする。
第５工程  第４工程の短冊状にカットされたトコロテンを型に入れ、トコロテン突き棒を使用し押し出すことにより麺状に成形されたトコロテン食品ができる。
【０００７】
アルコールを除去した果実酒入りの麺状のトコロテンは寒天、ゼラチンの増減により強度を調節することが出来、また果実酒対トコロテン溶液の割合を調節することにより味の濃い、薄いを付ける事が出来る。
【０００８】
食する時のスープに従来は酢醤油等を使用したが、本発明は酢醤油等の他にアルコールを除去した果実酒、また果実酒に砂糖、蜂蜜等の甘味類を加いたスープを使用すると美味しく食することが出来る。
【０００９】
【発明の効果】
果実酒の入った麺状のトコロテン食品は従来の天草、寒天のみの旨みの他に果実酒特有の旨みと風趣が有り、またゼラチンの混入により切れ難くなり、優良な食感と喉越し感が得られる、またアルコールを除去したことにより誰でもがデザート感覚で食することが出来る。
(57)【要約】【課題】初心者にも簡単な吊り鉢であって、カセット鉢２に植生した観賞用植物の植込み後のレイアウト変更と枯れ死による植替えを容易に出来る構造の観賞用植物の吊り鉢を提供する。【解決手段】本体１の円形状側面に開口部１ａを設け、カセット鉢２に観賞用植物３を植えつけ、カセット鉢２の背面に設けたＬ形形状部２ａを本体１の開口部１ａに連結する。この作業により鑑賞用植物の日照不足のための成長不良による枯れ死と混み過ぎでの通風不足による枯れ死と植え込み後のレイアウト変更を可能とする。【選択図】  図４
2004305163.tif 000002
【特許請求の範囲】
【請求項１】
カセット鉢２と本体１の連結と観賞用植物のカセット式カセット鉢２の位置を自由に配置出来る機能であり本体１とカセット鉢２の連結構造は本体１の前側面円形状に沿って開口部１Ａを設け、カセット鉢２背面のＬ形形状部２Ａを差込み連結した観賞用植物のカセット式吊り鉢。
【発明の詳細な説明】
【０００１】
【発明の属する技術分野】本発明は観賞用植物を鉢に入れてベランダ、軒先、フェンス、軒先、壁等の空間に吊り下げる吊り鉢及びその吊り鉢結体に関するものである。
【０００２】
【従来の技術】従来から、いわゆるハンギングバスケットとも称される吊り鉢として藤蔓と銅線の両材料を併用して編み上げたもの等が知られている。この公知技術に関する吊り鉢は立体的に観賞用植物を植込むために植込み技術が必要であるのと、植込み後の観賞用植物の取替えが難しいため初心者には利用し難いという問題がある。
【０００３】
【特許文献】（特開２０００−１８４８２２号広報）
【発明が解決しようとする課題】そこで、特開平１１−１６８９８６号広報や特開２００１−０４５８７４号広報で公知であるハンギングバスケットとも称されるものは、鉢が一体のために鉢側面に植えた観賞用植物を下記条件により取替える必要が発生した場合は、上部の植物を取り省く作業か必要があるために、植物の根を傷め成長を妨げることになる。また、側面植込みのために植込み技術が必要である。
【０００４】
（植替えの必要な例）
１）  植付け位置により日照不足のため成長不良により枯れ死
２）  植物間の混み過ぎにより通風不足による枯れ死
３）  植込み後のレイアウトの変更
４）  植物成長後のレイアウトの修正
【０００５】
【課題を解決するための手段】植替えに関しては、カセット鉢２を取り外しその部分のみ植え替えることにより解決する。
植替えの必要な例２）においては、カセット鉢２の個数を減らしカセットト鉢２の間隔を広げることにより通風不足を改善して成長不良を解消する。
【０００６】
植替えの必要な例３）、４）においてもカセット鉢２の差し替えにより解決する。初心者の利用においては全て上からのカセット鉢２への植付けのために従来のハンギングバスケットのように側面植付けの技術を必要としないため解決する。
【０００７】
【発明の実施と形態】次に図面を参照しながら本発明を詳述すると、図１は本体１斜視図であり図２はカセット鉢２斜視図である。図３は本体１にカセット鉢２をセットした状態で矢印はカセット鉢２の移動可能方向を表している。
【０００８】
カセット鉢２は上下段に各５個、合計１０個設置出来そのレイアウトを図６斜視図により表している。図４はカセット鉢２を１０個を設置した状態での平面図であり図４の断面図Ａ−Ａが図５である。
【０００９】
【発明の効果】本発明により従来難しいと思われてきたハンギングバスケットを園芸初心者にも簡単な作業で利用可能となる。
カセット鉢２の位置を変更することにより植付け位置により日照不足のため成長不良により枯れ死を防ぐ。
カセット鉢２の個数を減らすことにより植物間の混み過ぎにより通風不足による枯れ死を防ぐ。
カセット鉢２の位置変更により植込み後のレイアウトの変更が簡単に出来る。
カセット鉢２の位置変更により植物成長後のレイアウトの修正が簡単に出来る。
【図面の簡単な説明】
【図１】本発明に係わる本体１の斜視図である。
【図２】本発明に係わるカセット鉢２の斜視図である。
【図３】本体１にカセット鉢２をセットした状態でカセット鉢２の移動方向を矢印で表わした斜視図である。
【図４】本体１にカセット鉢２をセットした状態での平面図である。
【図５】図４に表記のＡ−Ａ断面図である
【図６】本体１にカセット鉢２を１０個セットした状態での斜視図である。
【符号の説明】
１：本体      １Ａ：本体の連結用開口部
２：カセット鉢      ２Ａ：カセット鉢の連結用Ｌ形形状部
【図１】
2004305163.tif 000003
【図２】
2004305163.tif 000004
【図３】
2004305163.tif 000005
【図４】
2004305163.tif 000006
【図５】
2004305163.tif 000007
【図６】
2004305163.tif 000008
(57)【要約】【課題】水分率を制御してパウチや成形容器に充填し易く、殺菌処理して個食用のレトルトパスタ或いはチルドパスタ等を提供する。【解決手段】乾燥状態としたパスタを水に浸漬して水分率を２５〜５０％とする吸水工程と、水切り後、この浸漬パスタを計量してパウチや成型容器に充填する計量充填工程と、前記パウチや成型容器に充填されたパスタを高温瞬間調理殺菌機により蒸煮するα化工程と、α化されたパスタに加水すると共に加圧蒸煮装置により蒸煮することにより水分率を５５〜６５％とする吸水及び蒸煮工程と、ガス置換し、又はガス置換なしでパウチや成型容器を密閉するシール工程と、からなるパウチや成型容器その他の密封容器入りパスタの製造方法。【選択図】図１
2004305168.tif 000002
【特許請求の範囲】
【請求項１】
乾燥状態としたパスタを水に浸漬して水分率を２５〜５０％とする吸水工程と、
水切り後、この浸漬パスタを計量してパウチや成型容器に充填する計量充填工程と、
前記パウチや成型容器に充填されたパスタを高温瞬間調理殺菌機により蒸煮するα化工程と、
α化されたパスタに加水すると共に加圧蒸煮装置により蒸煮することにより水分率を５５〜６５％とする吸水及び蒸煮工程と、
ガス置換し、又はガス置換なしでパウチや成型容器を密閉するシール工程と、
からなるパウチや成型容器その他の密封容器入りパスタの製造方法。
【請求項２】
請求項１記載の密封容器入りパスタに対して、調理殺菌装置により後殺菌工程を加えたことを特徴とするパウチや成型容器その他の密封容器入りパスタの製造方法。
【発明の詳細な説明】
【０００１】
【発明の属する技術分野】
本発明はパウチや成型容器その他の密封容器入りパスタの製造方法に関し、詳しくは無菌包装パスタ、レトルトパスタ、チルドパスタなどの個食用パスタの製造方法に関する。
【０００２】
【従来の技術】
従来から密封容器入りのパスタを製造するには、パスタを茹でて加熱調理した後に密封容器に収納する方法又は乾燥状態のパスタを水と共に容器に充填して蒸煮する方法が採られている。
【０００３】
【発明が解決しようとする課題】
しかし、前者のようにパスタを直接加熱調理するとパスタのデンプン質がα化し、べとついた状態となり、パスタ同士が結着して一人分ずつの容器に計量充填することが著しく難しくなり、昨今要望の高い個食用パスタの製造には向かない。
【０００４】
また乾燥状態のパスタを水と共に容器に充填して蒸煮しようとすると、パスタの全体が完全に水没せずデンプン質のα化が均一に進行し難く、吸水にムラが生じて水没しない部分のパスタは水分不足のため固いままであり、水没した部分のパスタは水分過多で柔らか過ぎて、容器内のパスタの水分が不均一になり易い。
【０００５】
本発明の目的は、上記のような従来の難点を解消し、乾燥パスタに与える水分率と温度とを制御してべたつきを防止し、パウチや成型容器等への計量・充填を容易にし、吸水後の加熱処理時に均一な水分の浸透とα化を実現し、さらに殺菌により食に供するまでの保存と食事時の調理を簡便にして、無菌包装パスタ、レトルトパスタ或いはチルドパスタのような個食用のパスタを製造する方法を開発しようとしたものである。
【０００６】
【課題を解決するための手段】
第１発明では、乾燥状態としたパスタを水に浸漬して水分率を２５〜５０％とする吸水工程と、水切り後、この浸漬パスタを計量してパウチや成型容器に充填する計量充填工程と、前記パウチや成型容器に充填されたパスタを高温瞬間調理殺菌機により蒸煮するα化工程と、α化されたパスタに加水すると共に加圧蒸煮装置により蒸煮することにより水分率を５５〜６５％とする吸水及び蒸煮工程と、ガス置換し、又はガス置換なしでパウチや成型容器を密閉するシール工程と、からなるパウチや成型容器その他の密封容器入りパスタの製造方法とした。
【０００７】
第２発明では、前記密封容器入りパスタに対して、さらに調理殺菌装置により後殺菌工程を加えた。
【０００８】
【作用】
第１発明において、通常約１２％の水分率を有する乾燥状態のパスタを、浸漬槽に浸漬して水分率を２５〜５０％とする吸水工程を用いることにより、次工程のパスタの計量とパウチや成型容器への充填が容易にできるようになった。６０℃以下の水を用い、水分率を２５〜５０％に押さえることにより、パスタ同士の結着が防止できるようになった。
【０００９】
次いでこの水分率２５〜５０％の浸漬パスタを高温瞬間調理殺菌機により、例えば１３５℃で３０秒の蒸煮をすればα化が促進され、吸水し易くなる。
【００１０】
その後、加水装置により水又は調味液を加えて、水分率を５５〜６５％に吸水すると共に加圧蒸煮装置で蒸煮することにより、均一な吸水状態でα化の完成したパスタを得る。
【００１１】
パウチや成型容器内の空気を窒素ガスなどとガス置換し、又はパスタ製品によってはガス置換なしにシールして密封し個食用の密封入りパスタとする。
【００１２】
本発明は先ず乾燥パスタに水分率を制御しながら吸水して均一な吸水状態をつくり、水切り後パスタがべとつかない（α化しない）状態でパウチ等に計量充填するようにした。次いで高温瞬間調理殺菌装置により均一にα化し、さらに吸水して水分率を５５〜６５％に制御して蒸煮するという一連の工程を特徴とする。
【００１３】
第２発明では、さらに製品の種類により後殺菌（例えば１２０℃で１０分）をレトルト調理殺菌装置により殺菌処理を行う。
【００１４】
【発明の実施の形態】
本発明は水分率が約１２％の乾燥状態のパスタに対して、６０℃以下の水温の浸漬槽に浸漬すると水分率が２５％〜５０％となる。水切りをしてこの浸漬パスタを水分率２５〜５０％とした状態を保持することにより、パスタのデンプン質はα化せずにべとつくことがなく、パスタ同士の結着がないので、計量．・充填工程が容易に行える。
【００１５】
水浸漬には約２５℃の通常の市水を用いることができる。
【００１６】
次いで高温瞬間調理殺菌機（瞬間加熱蒸気釜、例えば株式会社日阪製作所製ＲＩＣ）により瞬間（１００〜１５０℃、約５秒から５分）蒸煮して均一な吸水状態で、α化を促進させる。この状態でさらに水分率を５５％〜６５％になるように加水して加圧蒸煮装置により蒸煮（約１００℃で１０分）すると、適宜の水分率を持つパスタが得られ、個食用のパスタとして市場に提供することができるようになった。
【００１７】
【実施例】
以下、密封容器入りパスタの製造方法の一実施例を説明する。
2004305168.tif 000003
【００１８】
上記製造工程をクリーンな環境下で行うことにより、無菌包装パスタが得られた。
【００１９】
【発明の効果】
本発明では乾燥パスタに与える水分率と温度を制御してパスタのべたつきを防止し、パウチや成型容器等への計量・充填を容易にし、次いで加熱調理して均一な水分の分布による均一なα化を実現し、さらに殺菌により食に供するまでの保存状態を確実にし、食事時の調理を簡便にした無菌包装パスタ、レトルトパスタ或いはチルドパスタのような個食用のパスタを製造することができた。
【図面の簡単な説明】
【図１】本発明の製造工程を示すフローチャート図
【図２】同継続の製造工程を示すフローチャート図
【図１】
2004305168.tif 000004
【図２】
2004305168.tif 000005
(57)【要約】【課題】従来、早漏の防止方法として行われている表面麻酔剤を塗布する方法には、煩わしい操作が必要とされていた。本発明はこれを改善することを課題とする。【解決手段】コンドーム本体の外側面に液密性膜からなる円筒状袋が重合状態に被装されると共に、これらコンドーム本体及び袋が重合状態でコンドーム本体基端を中心に巻きこまれ、上記コンドーム本体内側面の少くとも亀頭部と接する先端部分に、表面麻酔剤を含む粘滑性麻酔ゼリーが塗布されている、改良コンドーム。【選択図】        図２
2004305534.tif 000002
【特許請求の範囲】
【請求項１】
コンドーム本体の外側面に液密性膜からなる円筒状袋が重合状態に被装されると共に、これらコンドーム本体及び袋が重合状態でコンドーム本体基端を中心に巻きこまれ、
上記コンドーム本体内側面の少くとも亀頭部と接する先端部分に、表面麻酔剤を含む粘滑性麻酔ゼリーが塗布されている、
改良コンドーム。
【発明の詳細な説明】
【０００１】
【発明の属する技術分野】
本発明は、男性の早漏防止にかかわるコンドームの改良に関する。
【０００２】
【従来の技術】
元来、男性の早漏は病気の一種として、従来から医師による治療の対象とされており、その治療方法、特に早漏防止方法としては、メンタルカウセリング、バイヤグラ等の内服、表面麻酔剤（例えば、承認医薬品としてアミノ安息香酸エチル、塩酸プロカイン等）の塗布等が多くの医療機関において広く行われている。
【０００３】
そのうち多用されている表面麻酔剤の塗布について、その使用の実際についてみると、挿入の所要時間前に該麻酔剤を男性の局部に予め塗布しておかなければならず、しかも挿入の際は、該塗布剤を十分洗い流すか、改めてコンドームを被着しなければならない等煩わしい操作が必要とされていた。
【０００４】
【発明が解決しようとする課題】
本発明は、従来の煩わしい操作を解消しつつ早漏防止を果すことができる改良コンドームを提供することを課題とする。
【０００５】
【課題達成の手段】
上記課題達成の手段として、本発明は、
コンドーム本体の外側面に液密性膜からなる円筒状袋が重合状態に被装されると共に、これらコンドーム本体及び袋が重合状態でコンドーム本体基端を中心に巻きこまれ、
上記コンドーム本体内側面の少くとも亀頭部と接する先端部分に、表面麻酔剤を含む粘滑性麻酔ゼリーが塗布されている、
改良コンドームを提案する。
【０００６】
本発明における上記「円筒状袋」には、ポリウレタン樹脂、ポリエチレン樹脂、ポリアミド樹脂等の各種合成樹脂からなる軟質膜製の円筒状袋が使用される。
また、上記「表面麻酔剤」には、リドカイン、塩酸リドカイン、アミノ安息香酸エチル、塩酸プロカイン、塩酸ジブカイン等各種の表面麻酔剤が使用され。
以下図面を参照して本発明の実施例について詳述する。
【０００７】
【実施例】
図１において、伸展状態のコンドーム本体（１）の内側面における、本例では先端部分すなわち先端から亀頭部全体に接する範囲に、表面麻酔剤を含む粘滑性の麻酔ゼリー（２）を適量塗布し、又上記コンドーム本体（１）の外側面における、本例では先端からほぼ中間部分までの範囲に、従来使用されている通常のゼリー状潤滑剤（３）を塗布すると共に、該コンドーム本体（１）の外側面に、ポリウレタン樹脂の軟質膜からなる上記コンドーム本体（１）より若干大径でほぼ同長の円筒状袋（４）を被装し、このようにしたコンドーム本体（１）と袋（４）を重合状態のままで、図２に示すようにコンドーム本体（１）の基端（５）を中心として先端部分近くまで巻きこんである。
【０００８】
上記麻酔ゼリー（２）の組成の一例を次に示す。
１．塩酸リドカイン              １ｍＬ中２０ｍｇ
２．添加物（パラオキシ安息香酸メチル、パラオキシ安息香酸プロピル、カルメロースナトリウム）              適量
【０００９】
図２のように巻きこんだコンドームは、コンドーム本体（１）内部の粘滑性麻酔ゼリー（２）が外部に流出することがあっても、袋（４）によって、該ゼリー（２）がコンドーム本体（１）の外側面に付着するのを十分に防止する。
【００１０】
使用においては、上記巻きこみコンドームを、その粘滑性麻酔ゼリー（２）塗布面においてペニス先端部分に被せ、ついで巻きこみ部分を戻して伸展しながらペニス全体に被着する。上記の被着により、コンドーム本体（１）内部の粘滑性麻酔ゼリー（２）が亀頭部に塗着され、それにより亀頭部の表皮麻酔が開始される。挿入に際しては、袋（４）の先端部をつまんで前方へ引き、コンドーム本体（１）から剥ぎ取る。上記袋（４）の剥ぎ取りによりコンドーム本体（１）の潤滑剤（３）塗布面が露出する。
【００１１】
本発明の他の実施例として、上記図１、２の例におけるコンドーム本体（１）と袋（４）との間の潤滑剤（３）を除いたものも得られる。
【００１２】
【発明の効果】
本発明の改良コンドームによれば、コンドームをペニスに被着すれば該コンドーム本体内の表面麻酔剤を含む粘滑性麻酔ゼリーが少くとも亀頭部に塗着して表皮麻酔作用を行い、それにより従来のような煩わしい操作をせずに早漏防止を果すことができ、使用上はなはだ便利である。しかも本発明コンドームの包装時及び被着操作時に、コンドーム本体内の粘滑性麻酔ゼリーが外部に流出することがあっても、袋によって該粘滑性麻酔ゼリーがコンドーム本体の外側面に付着するのを十分に防止し、挿入後の支障を防止することができるのである。
【図面の簡単な説明】
【図１】本発明による伸展状態の改良コンドームの縦断面図である。
【図２】巻きこみ状態の同上縦断面図である。
【符号の説明】
１  コンドーム本体
２  粘滑性表面麻酔ゼリー
４  袋
【図１】
2004305534.tif 000003
【図２】
2004305534.tif 000004
(57)【要約】【課題】餅米や小麦粉を主原料とするおかきやせんべいのようなチップ状の食品によると、栄養化に富み、肥満の原因になると共に、ダイエットに効果がなく、また便秘の解消もなく健康増進性にすぐれない。【解決手段】熱水中にこんにゃく粉、澱粉、砂糖等の調味料を加えて攪拌しつつ石灰水を注入した後、一定時間放置して熟成させ、その後チップ状に切断し、ついで熱風乾燥し、更に油で揚げることを特徴とするチップ状食品１で、ダイエット効果以外に、こんにゃくの繊維によって便秘をなくする健康増進に効果を発揮する。【選択図】    図１
2004305019.tif 000002
【特許請求の範囲】
【請求項１】
熱水中にこんにゃく粉、澱粉、砂糖等の調味料を加えて攪拌しつつ石灰水を注入した後、一定時間放置して熟成させ、その後チップ状に切断し、ついで熱風乾燥し、更に油で揚げることを特徴とするチップ状食品の製造方法。
【発明の詳細な説明】
【０００１】
【発明の属する技術分野】
この発明は、従来、おやつ等の嗜好品として知られるおかき、せんべい等と同様にチップ状にして食する食品であるが、これらの製造方法とは異なる製造方法により、従来のチップ状食品とは異なる美味な味とダイエット効果を有する以外に健康増進に役立つチップ状食品の製造方法に関するものである。
【０００２】
【従来の技術】
従来、おかきやせんべいは餅米を原料として先ず餅を作り、これを適当な大きさに切断した後、スライスして乾燥し、これを加熱して醤油などを塗布して製品としていた。また、従来のせんべいは小麦粉などに水、ミルク、砂糖などを加えて練り、これを適当な大きさにして加熱乾燥させることにより製品としていた。
【０００３】
【発明が解決しようとする課題】
上記の従来技術には次のような欠点があった。
【０００４】
従来の餅米を原料とするおかきは最初に餅つき機械で餅を作りこれをスライスしたのち乾燥するという行程が必要なため、製造に手数がかかるという欠点があった。
【０００５】
また、従来の小麦粉を原料とするせんべいやビスケットなどはミルクや砂糖で味付けするので味が単純であり、食べ過ぎると肥満の原因となる等の問題があった。
【０００６】
そこでこの発明は、上記のような従来の食品の欠点を解決するものである。
【０００７】
【課題を解決するための手段】
熱水中にこんにゃく粉、澱粉、砂糖等の調味料を加えて攪拌する。その際、石灰水を注入して練りものとする。この練りものを適当な大きさに切断し、スライス機にかけてスライスして薄い板状とし、これを熱風乾燥機にかけて乾燥してチップ状とした後、油で揚げて製品とする。
【０００８】
【発明の実施例】
以下にこの発明の実施例を説明する。
【０００９】
図１に示すフローチャートの（イ）のように、水温８０℃の熱水中にこんにゃく粉、澱粉、砂糖、だし、塩、酒をそれぞれ適量加えたものを攪拌機に入れ、石灰水を注入して攪拌混合する。
【００１０】
図１（ロ）のように上記の混合物を２時間乃至３時間放置して熟成する。
【００１１】
図１（ハ）のように熟成したものを７５ｍｍ×１７０ｍｍ×２５ｍｍの大きさに切断し、これをスライス機に掛けて厚さ約６ｍｍ、幅約３０ｍｍ、長さ約４０ｍｍのチップ状とする。
【００１２】
このチップ状にしたものを、図１（ニ）のように熱風乾燥機にて６０℃の熱風で６時間の条件で乾燥する。次にこの乾燥したものを、図１（ホ）のように１６０℃の油で約１分間揚げ、更に１８０℃に油温を上げて約５秒間揚げて図２のチップ状食品１として完成する。
【００１３】
上記調味料中のだしは市販のだしの素を用いる。ただし、かつを節、こぶなどを用いてだしを作ってもよい。
【００１４】
また、上記（イ）の成分割合の一例を示すと以下の通り。
こんにゃく粉２５％、澱粉２０％、砂糖３０％、だしの素２％、塩２％、酒２％、石灰１．８％、水分１７．２％、だしの素は市販のものを用いる。ただし、かつを節、こぶなどを用いて任意の出しを作り利用する場合もある。
【００１５】
この製品の用途はおやつ等の食用である。この発明の製品は従来のおかきやせんべいと同様にビニール袋に２０ｇなどの一定量を袋詰めにして販売する。
【００１６】
【発明の効果】
以上のように、この発明の製造方法によるチップ状食品によれば、従来のおかきやせんべいに変るおやつとして食するものであるが、原料がこんにゃくと澱粉を主としているので餅米を用いるおかきや小麦粉を主とする従来のおやつに比較して一味異なる美味なおやつとなり、こんにゃくは繊維に富み、胃腸によい影響を与えて便秘の解消に役立つ健康増進や、ダイエット効果もある有益な食品である。
【図面の簡単な説明】
【図１】この発明の製造行程を示すフローチャート図である。
【図２】この発明の製品の一例を示す斜視図である。
【符号の説明】
１    チップ状食品
【図１】
2004305019.tif 000003
【図２】
2004305019.tif 000004
(57)【要約】【目的】醸造用乳酸を添加せずに乳酸菌を利用して、従来の生もと酒母と同様の温度操作で短期間に酒母を育成し、従来の生もと酒母と同様の香味を持つ清酒を製造する。【解決手段】温度制御可能な撹拌機付きのタンクに酒母を仕込み、撹拌により山卸作業を行ない、同時に高温（５０〜６０℃）で糖化、殺菌を行う。冷却後、一般に入手可能な乳酸菌Ｌａｃｔｏｂａｃｉｌｌｕｓ  ｓａｋｅｉ  ＮＢＲＣ３５４１を添加し、短期生もと酒母を製造する。この短期生もと酒母を用いて醪仕込みを行ない、従来の生もと酒母と同様の香味を持つ清酒を製造する。【選択図】      図１
2004305015.tif 000002
【特許請求の範囲】
【請求項１】
撹拌機付きのタンクに酒母を仕込み、高温（５０〜６０℃）と撹拌により山卸作業を行うことを特徴とする酒母の製造方法。
【請求項２】
低温での増殖性及び乳酸生産能に優れた乳酸菌であるＬａｃｔｏｂａｃｉｌｌｕｓ  ｓａｋｅｉ  ＮＢＲＣ３５４１を酒母に添加し、前記乳酸菌を利用して短期生もと酒母を育成することを特徴とする酒母の製造方法。
【請求項３】
低温での増殖性及び乳酸生産能に優れた乳酸菌であるＬａｃｔｏｂａｃｉｌｌｕｓ  ｓａｋｅｉ  ＮＢＲＣ３５４１を酒母に添加し、前記乳酸菌を利用して短期生もと酒母を育成し、前記短期生もと酒母を用いて醪を製造することを特徴とする清酒の製造方法。
【発明の詳細な説明】
【０００１】
【発明の属する技術分野】
本発明は、清酒の製造方法に関し、特に乳酸菌を用いて酒母を製造する方法、この酒母を用いて清酒を製造する方法である。
【０００２】
【従来の技術】
従来、清酒製造において広く用いられている速醸酒母は、醸造用乳酸を添加して育成される。近年では、無添加食品を好む社会的な傾向や、安定して乳酸を生成させる目的で、例えば特開昭６４−７４９７６号、特開平１１−４６７４８号又は特開２００１−８６９７６各公報に開示されているように、乳酸の添加に代えて、仕込み時に乳酸菌を加えて乳酸を生成させ、これを利用して短期間で酒母を育成する方法が提案されている。（本明細書中では、このように乳酸菌を利用して得られる酒母を短期生もと酒母と称する）
【０００３】
【発明が解決しようとする課題】
近年、仕込みの機械化等により仕込み環境が衛生的になり、水や麹からの微生物の混入があまりみられなくなった。速醸酒母で酒母を育成する過程では非常に好ましい事であるが、生もと酒母においては必要不可欠な微生物混入の機会も少なくなり、酵母を添加するまでの間、早湧き（優良酵母を添加する前に野生酵母等が増殖してしまう）や腐造（アルコール耐性の強い乳酸菌が増殖してしまう）の危険にさらされる原因になっている。この問題を解決しようとしたのが上記の特開昭６４−７４９７６号であるが、高温糖化により殺菌は行われるものの、耐熱性乳酸菌を使用しており、生もと酒母において不可欠とされるＬａｃｔｏｂａｃｉｌｌｕｓ  ｓａｋｅｉを使用しておらず、酵母育成が十分に行われない虞がある。
【０００４】
一方、特開平１１−４６７４８号ではＬａｃｔｏｂａｃｉｌｌｕｓ  ｓａｋｅｉを使用しているが、自社採取株であり、一般には入手困難である。
【０００５】
【課題を解決するための手段】
本発明によれば、酒母を撹拌しながらすりつぶし（山卸）、並行して高温（５５〜６０℃）で糖化して殺菌した後に、酒母を冷却してＬａｃｔｏｂａｃｉｌｌｕｓ  ｓａｋｅｉ  ＮＢＲＣ３５４１を添加すれば、通常の生もと酒母と同様の温度経過で短期生もと酒母を育成することができる。
【０００６】
本発明によれば、酒母をすりつぶすこと（山卸）により米粒の空隙がなくなり、嫌気状態を好むＬａｃｔｏｂａｃｉｌｌｕｓ  ｓａｋｅｉ  ＮＢＲＣ３５４１が低温でより増殖しやすい環境となり、乳酸の生成が早まり、通常１０日〜１４日目に酵母を添加するのが５日〜７日目には酵母を添加できるようになり、従来の生もと酒母の育成期間が約３０日かかるのに対して１５日から１８日と短期間での育成が可能である。
【０００７】
また、本発明によれば、人手と労力を要する山卸作業が機械化でき、作業の効率化、省力化が計れる。
【０００８】
【発明の実施の形態】
以下に、本発明による清酒製造法の実施形態について説明する。仕込み水、麹、蒸米を図１に示すタンクに仕込み、ジャケット内に温水を循環させ品温が５５〜６０℃になるように操作する。同時に撹拌機を回転させ米粒をすりつぶす。４〜５時間で糖化され、酒母はペースト状になり、高温と濃糖により殺菌される。
【０００９】
次に、ジャケット内に冷水を循環させ、品温を８〜１０℃に冷却する。冷却後、通常の仕込みタンクに酒母を移動しＬａｃｔｏｂａｃｉｌｌｕｓ  ｓａｋｅｉ  ＮＢＲＣ３５４１の培養液を添加する。
【００１０】
従来の生もと酒母と同様に温度を経過させ、酒母の酸度が２ｍｌ以上になったら酵母を添加する。これ以降も従来の生もと酒母と同様に温度を経過させ、１５日〜１８日間で短期生もと酒母が育成される。
【００１１】
この短期生もと酒母を用いて醪仕込みを行えば、従来の生もと酒母を用いて醪仕込みを行ってできた清酒と同等の香味をもつ清酒が製造される。
【００１２】
【実施例】
表１に示す仕込み配合で、短期生もと酒母を育成し、清酒の醸造を行った。表２に短期生もと母の経過及び成分分析値を、表３に酒母使用時の成分分析値を、表４に清酒上槽時の成分分析値を示す。比較として、速醸酒母を育成して清酒醸造を行った。その成分分析値を併せて表３、４に示す。
【００１３】
【表１】
2004305015.tif 000003
【００１４】
【表２】
2004305015.tif 000004
【００１５】
【表３】
2004305015.tif 000005
【００１６】
【表４】
2004305015.tif 000006
【００１７】
短期生もと酒母を用いて清酒を仕込み、速醸酒母より酸度、アミノ酸度が高く、濃醇で生もとらしい清酒が製造された。
【００１８】
【発明の効果】
本発明による製造方法によれば、一般に入手可能な乳酸菌Ｌａｃｔｏｂａｃｉｌｌｕｓ  ｓａｋｅｉ  ＮＢＲＣ３５４１を用いて、従来の生もと酒母と同様の温度操作で、安定して短期間で生もと酒母を育成することができるので、生産効率が向上する。
【００１９】
また、撹拌機付きのタンクに仕込むことにより、山卸作業が機械化され、省力化が期待できる。
【図面の簡単な説明】
【図１】撹拌機付きタンクの断面図である。
【符号の説明】
１・・撹拌機
２・・温水や冷水を循環させるジャケット
【図１】
2004305015.tif 000007
(57)【要約】【課題】魚礁に代表される海藻育成用ブロックの表面に凹凸を付ける作業が不要で、しかも、貝殻を再利用できるようにすること。【解決手段】貝殻を原料の一部又は全部に用いる粗骨材を、細骨材と共にセメントで固めて多孔質の塊としてあることを特徴とする海藻育成用ブロック。【選択図】      図１
2004305091.tif 000002
【特許請求の範囲】
【請求項１】
貝殻を原料の一部又は全部に用いる粗骨材を、細骨材と共にセメントで固めて多孔質の塊としてあることを特徴とする海藻育成用ブロック。
【発明の詳細な説明】
【０００１】
【発明の属する技術分野】
本発明は、主に昆布に代表される海藻の育成に有用なブロックに関する。
【０００２】
【従来の技術】
海藻育成用ブロックには通常、コンクリートブロックが用いられる。そして、その表面を削って凹凸を付けることによって、海藻の種が付着しやすいようにしていた。ところが、表面を削る作業は繁雑である。特に、海藻育成用ブロックが筒状の場合には、削り難いことから、凹凸が付け難かった。また、コンクリートブロックの粗骨材としては、天然砕石が知られているが、廃物を利用することが望まれている。特に、ホタテ貝等の貝殻は、養殖業界や食品業界では量が多いことから処分に困っているのが現状である。
【０００３】
【発明が解決しようとする課題】
このような実情から本発明の海藻育成用ブロックは創作されたものであり、表面に凹凸を付ける作業が不要で、しかも、貝殻を再利用できるようにすることを解決課題とする。
【０００４】
【課題を解決するための手段】
本発明の海藻育成用ブロックは、貝殻を原料の一部又は全部に用いる粗骨材を、細骨材と共にセメントで固めて多孔質の塊としてあることを特徴とする。
【０００５】
粗骨材中の貝殻の使用割合が多いほど、貝殻を再利用することができる。
【０００６】
【発明の実施の形態】
本発明の海藻育成用ブロックは、粗骨材、細骨材、結合材、水、機能性材料をミキサーで混合し、混合したものを型の中に流し込んで硬化させ、上面をならす程度に上から少し押え、固化するのを待ってから型から取りだし、所望の形状、例えば図１に示すように円筒状の多孔質の塊１とする。
【０００７】
粗骨材は、原料にホタテ貝などの貝殻を最低限使用する。原料は貝殻だけでも良いし、貝殻以外のものを含んでも良い。貝殻以外のものとしては例えば、廃物（人工砕石、人工大理石、廃プラスチックなど）、天然砕石、炭が挙げられ、これらのうちの一つ又は複数を、貝殻と共に原料として使用する。
【０００８】
貝殻は、必要に応じて破砕機で砕いて使用する。人工砕石としては、例えば、熱可塑性樹脂、熱硬化性樹脂、石炭灰をミキサーに投入し、混合したものを押出成型機に投入して溶融混練し、押出しダイスより所望の形状に押し出し、冷やされて固化した塊を破砕機にかけて砕き、その後、ふるいにかけて粒度を揃えたものが挙げられる。ＭＤＦ廃材を石炭灰の代わりに、又は石炭灰とともに使用しても良い。熱可塑性樹脂、熱硬化性樹脂、石炭灰の重量比を２〜３：１：１とすることが、結合材による結合力の向上からは望ましい。炭としては、例えば木炭を２０ｍｍ以下に粉砕し、ふるいにかけて粒度を揃えたものを用いる。炭自身が多孔質であり、また、炭の持つ調湿、断熱、吸音、脱臭等の効果が得られる。なお、人工大理石や廃プラスチックは、破砕後ふるいにかけて粒度を揃えて使用する。
【０００９】
細骨材は、石炭灰、砂、粗骨材を粉砕したもの、などが一例として挙げられる。結合材はセメント（高炉セメント）を用いる。機能性材料は、強度、外観、機能を変化させるために加えるもので、セメント高強度化剤、着色料、保水剤が例として挙げられ、混合時に投入してもよいし、成型後どぶ漬けして染み込ませても良い。なお、結合材と水の配合割合は、海藻育成用ブロックが塊としての形状を保ちながら、塊中に孔（空隙）が数多く形成される範囲で決定する。
【００１０】
本発明の海藻育成用ブロックは、魚礁として使用しても良いし、商標名テトラポットのように波消しブロックとして使用しても良い。また、海藻育成用ブロックは円筒状にした場合にはタコ壺としても使用できるし、大型化して部屋状の空間を形成した場合には魚介類の成育空間として使用することもできる。
【００１１】
【発明の効果】
本発明は、廃物と考えられている貝殻を粗骨材に利用しているので、その配合割合が多いほど貝殻を有効利用できる。また、廃物の貝殻を使用することで、安価に生産できる。さらに、多孔質の塊に形成してあるので、従来のように凹凸を付ける作業が不要になり、また、その孔に海藻の種が入り込んで付着しやすくなり、海藻の育成に良好である。なお、成形するだけで多孔質の塊となるので、筒の中側にも簡単に凹凸が付けられることになる。
【図面の簡単な説明】
【図１】本発明の海藻育成用ブロックを示す斜視図である。
【符号の説明】
１  塊
【図１】
2004305091.tif 000003
(57)【要約】【課題】点検時，回収時の個々の情報をリーダ・ライタからパソコンに集積することにより、パソコンにより点検表，回収品表，さらにはそれぞれの見積書の作成ができるので、点検，回収作業が簡略化されると共に、回収品表を用いて開発（品質）へのフイードバックも可能となる防災商品の生産管理方法を得る。【解決手段】設置時の防災商品１に非接触型ＩＣチップ２を取り付け、この非接触型ＩＣチップ２にリーダ・ライタ３を用いて設置場所をその型式（商品名），年式，製造番号などと共に入力し、そしてこのリーダ・ライタ３の情報をパソコン４を用いてデータ管理する。【選択図】        図１
2004305283.tif 000002
【特許請求の範囲】
【請求項１】
設置時の防災商品に非接触型ＩＣチップを取り付け、この非接触型ＩＣチップにリーダ・ライタを用いて設置場所をその型式（商品名），年式，製造番号などと共に入力し、そしてこのリーダ・ライタの情報をパソコンを用いてデータ管理することを特徴とする防災商品の設置管理方法。
【発明の詳細な説明】
【０００１】
【発明の属する技術分野】
この発明は、消火器，消火設備などの防災商品の設置管理を行う方法に関するものである。
【０００２】
【発明が解決しようとする課題】
従来のこの種の設置管理方法を消火器について説明する。消火器は定められたかつ必要な場所に設置されているが、点検時にはこの設置場所を回りながら個々にチェックして点検表を作成しているし、また回収時には個々に回収しながら記録して回収品表を作成しているので、その点検，回収作業に大変な手間が掛かるものである。
【０００３】
【課題を解決するための手段】
この発明に係る防災商品の生産管理方法はかかる問題点を解消するためになされたもので、点検時，回収時の個々の情報をリーダ・ライタからパソコンに集積することにより、パソコンにより点検表，回収品表，さらにはそれぞれの見積書の作成ができるので、点検，回収作業が簡略化されると共に、回収品表を用いて開発（品質）へのフイードバックも可能となる。
【０００４】
【発明の実施の形態】
この発明の一実施の形態を図１について説明する。図１は消火器の設置状況を簡略化して示す図で、図中１は１Ｆ，２Ｆのしかるべき場所に設置した消火器、２は消火器１にそれぞれ取り付けた非接触型ＩＣチップ、３は携帯型リーダ・ライタ、４はパソコン、５は見積書，点検表，回収品表，廃棄消火器表などの出力データ表である。
【０００５】
消火器１を１Ｆ，２Ｆのしかるべき場所に設置するときには、予め消火器１に取り付けてある非接触型ＩＣチップ２に設置場所を携帯型リーダ・ライタ３により入力しながら設置してゆく。そして、個々の設置場所情報は、全ての消火器１にわたって携帯型リーダ・ライタ３からパソコン４に集積しておく。
【０００６】
パソコン４の操作で、全ての設置場所への消火器１の設置有無の確認ができると共に、非接触型ＩＣチップ２には予め基本情報（型式，年式，製造番号など）を入力してあるので、個々の年式から点検時のチェック，点検見積表５の作成が可能となる。
【０００７】
設置場所において点検作業を終了すると、この点検情報を携帯型リーダ・ライタ３に入力することにより、全ての消火器１において携帯型リーダ・ライタ３の操作によって点検作業ができる。そして、この全ての点検情報を携帯型リーダ・ライタ３からパソコン４に集積することにより、点検表５の作成も可能となる。
【０００８】
回収時には、回収した消火器１の回収情報を携帯型リーダ・ライタ３に随時入力することにより、これを回収情報として携帯型リーダ・ライタ３からパソコン４に集積しておく。この回収情報を用いてパソコン４により回収品表５の作成が可能となるし、さらにこの回収情報を用いて開発（品質）へのフイードバックも可能となる。
【０００９】
また、回収した消火器１を廃棄回収箱（図示せず）に収納した状態では、携帯型リーダ・ライタ３を用いて廃棄回収箱内の全ての消火器１の確認（本数，種類）ができるので、廃棄回収箱内の全ての消火器１を一個一個数えなくても、パソコン４により廃棄消火器表５を簡単確実に作成でき、よってリサイクリ化計画も容易に行える。
【００１０】
【発明の効果】
以上のように、この発明によれば点検時，回収時の個々の情報をリーダ・ライタからパソコンに集積するので、パソコンにより点検表，回収品表，さらにはそれぞれの見積書の作成ができるようになり、点検，回収作業が簡略化されると共に、回収品表を用いて開発（品質）へのフイードバックも可能になるという効果が得られる。
【図面の簡単な説明】
【図１】この発明の一実施の形態を示すもので、消火器の設置状況を簡略化して示す図である。
【符号の説明】
１  消火器
２  非接触型ＩＣチップ
３  携帯型リーダ・ライタ
４  パソコン
５  出力データ表
【図１】
2004305283.tif 000003
(57)【要約】【課題】鞄を土足で歩行する床や地面に置く場合、まず鞄の底面が汚れる。またそれを運搬したり膝にのせた場合、衣服が汚れる。家具に置いた場合、室内に置いた場合などもそれぞれが汚れる。鞄を清潔に保ち、この汚れの連鎖を起こさない事が必要である。【解決手段】鞄の外面に可動式二重構造部分を造り、通常鞄を保持、運搬する場合の底面とは別の、土足歩行面へ置く場合のみ使用する直置き専用底面が鞄の底面に露出する仕組みを造る。その他の場合は元にもどすと、直置き専用底面は隠れるので、この汚れが他に付着することはない。【選択図】図４
2004305255.tif 000002
【特許請求の範囲】
【請求項１】
２重になった底面の、下側をめくり上げることで、別の底面を露出させることのできる鞄。
【請求項２】
側面の一部分が可動して、底面を覆い、新たな底面として使用できる鞄。
【発明の詳細な説明】
【０００１】
【産業上の利用分野】
本発明は通常利用をしている場合での底面と、土足で歩行している床や地面へ置く場合の底面とを別々の持ち、使い分けることにより、土足歩行をする場所に置いた場合の汚れが本体表面から隠され、清潔に保つことで、衣服や、家具、室内へ汚れが付着することを防ぐことのできる鞄に関するものである。
【０００２】
【従来の技術】
鞄を持って歩行を中断した時には、どこかに置きたいものである。ベンチや適当な台などがない場合、土足で歩行している床や地面に直接置くことになり、底面が汚れる。その対応として従来から底面に短い樹脂や金属の足を取り付けたり、キャスター（車）をつける鞄もあった。しかし何の対応もしてないものも多く、それを置いた場合は底面が直接汚れの多い土足歩行面に接することになってしまう。その結果、その鞄を持った場合、衣服を汚したり、別の場所に移した場合は、家具や、室内などを汚すことの原因になっていた。
【０００３】
【発明が解決しようとする課題】
本発明は土足歩行面に接することによる汚れから鞄を護り、清潔感を保ち、そのことで衣服や家具、室内、その他の環境を汚さないようにするということを課題とする。
【０００４】
【課題を解決するための手段】
鞄の外側の一部分を二重にして、通常はそのまま使用するが、土足歩行の床や地面に置く場合のみ二重の外面をめくり、直置き専用底面を露出して置く。鞄を運搬したり、その他の行動をする場合には、また元にもどす。すると直置き専用底面が隠れるので、置いた時の汚れが外部に伝わらないようになる。
【０００５】
【発明の実施の形態】
以下、本発明の実施の形態を図１〜図８に基づいて説明する。
【０００６】
図においては１は鞄の本体である。２は鞄の二重構造の外側、可動部分である。底面と側面との稜線の片側に接合されている。そこを支点として側面と底面の両方に可動するもので、どちらの面にも固定できる。通常は２を底面として使用する。土足歩行面に置く時のみ２を側面に固定して、その結果５の直置き専用底面が露出して、置かれる。（実施例１）
【０００７】
８は鞄の二重構造の外側、可動部分である。底面と側面との稜線の片側に接合されている。そこを支点として側面と底面の両方に可動するもので、どちらの面にも固定できる。通常は８を側面に固定して使用する。土足歩行面に置く時のみ８を底面に固定して、その結果９通常の底面を覆い、８の側面に固定していたときの内側を向いていた面１０が直置き専用底面として露出する。（実施例２）
【０００８】
６及び７は２及び８をそれぞれの面に固定するための固定具である。ボタン、スナップ、マグネットキャッチ、その他いろいろ利用できるが、ここではマジックテープ（登録商標）を使用している。４はカバー。
【発明の効果】
この鞄を土足歩行面に置く場合、常に直置き専用底面を底面として置くこととして、その他の場合は直置き専用底面は露出せず隠されることで、その汚れが表面に出ない。ゆえに衣服にも、家具にも、室内にもその汚れは付着しない。また直置き専用底面を防水性の素材で製作することにより、クリーニングもやりやすい。
【図面の簡単な説明】
【図１】本発明での鞄の通常の使用状態を示す斜視図である（実施例１）
【図２】本発明での鞄の土足歩行面への直置き状態を示す斜視図である（実施例１）
【図３】本発明での鞄の通常の使用状態を示す断面図である（実施例１）
【図４】本発明での鞄の土足歩行面への直置き状態を示す断面図である（実施例１）
【図５】本発明での鞄の通常の使用状態を示す斜視図である（実施例２）
【図６】本発明での鞄の土足歩行面への直置き状態を示す斜視図である（実施例２）
【図７】本発明での鞄の通常の使用状態を示す断面図である（実施例２）
【図８】本発明での鞄の土足歩行面への直置き状態を示す断面図である（実施例２）
【符号の説明】
１  鞄本体
２  可動部分（実施例１）
３  持ち手
４  カバー
５  直置き専用底面（実施例１）
６  固定具（マジックテープ（登録商標））
７  固定具（マジックテープ（登録商標））
８  可動部分（実施例２）
９  通常の底面（実施例２）
１０  直置き専用底面（実施例２）
【図１】
2004305255.tif 000003
【図２】
2004305255.tif 000004
【図３】
2004305255.tif 000005
【図４】
2004305255.tif 000006
【図５】
2004305255.tif 000007
【図６】
2004305255.tif 000008
【図７】
2004305255.tif 000009
【図８】
2004305255.tif 000010